(57)【要約】【課題】油圧シリンダ１回のストロークでのナットあるいはボルトの回転角度を大きくし、かつシリンダ本体内にピストンを戻す後退動作においても、ナットあるいはボルトを回転できる締め付け装置を提供する。【解決手段】保持用レンチ部２と締め付け用レンチ部３とを備え、油圧シリンダ４の油圧を利用して締め付け動作をさせる。長アーム部５ａと短アーム部５ｂとが直交するように形成されてなるＬ字形状の支持リンク５の長アーム部５ａの先端に、一端部に保持用レンチ部２を有する第２可動リンク６の中央部を回転可能に設ける。両アーム部５ａ，５ｂの結合部に、第１可動リンク７の一端部を回転可能に枢支し、この第１可動リンク７の他端部に締め付け用レンチ部３を持たせる。第２可動リンク６の他端部と短アーム部５ｂの先端部との間に、締め付け用レンチ部３を動作させる油圧シリンダ４を設ける。【選択図】図１
0003183521.tif 000002
【実用新案登録請求の範囲】
【請求項１】
保持用レンチ部と締め付け用レンチ部とを備えるボルト締め付け装置であって、
長アーム部と短アーム部とが直交するように結合されてなるＬ字形状の支持リンクと、
前記両アーム部の結合部に一端部が回転可能に設けられ他端部に締め付け用レンチ部を有する第１可動リンクと、
前記長アーム部の先端に中央部が回転可能に枢支され一端部に保持用レンチ部を有する第２可動リンクと、
前記第２可動リンクの他端部と前記短アーム部の先端部との間に設けられる油圧シリンダとを備えることを特徴とする締め付け装置。
【請求項２】
前記第２可動リンクは、前記回転可能に設けられる中央部から前記保持用レンチ部までの長さが、前記回転可能に設けられる中央部から前記油圧シリンダに連結される他端部までの長さよりも長い請求項１記載の締め付け装置。
【請求項３】
前記第２可動リンクの、前記回転可能に設けられる中央部から前記保持用レンチ部までの長さは、前記第１可動リンクの、回転可能に設けられる一端部から前記締め付け用レンチ部までの長さよりも長い請求項１記載の締め付け装置。
【請求項４】
前記支持リンクは、平行に配置された２つの板状部材からなり、前記２つの板状部材の間に、前記第１可動リンクの一端部および前記第２可動リンクの中央部が回転可能に挟持されている請求項１〜３のいずれかに記載の締め付け装置。
【請求項５】
前記２つの板状部材の間には、前記２つの板状部材の間隔を保持する複数のスペーサが設けられている請求項４記載の締め付け装置。
【考案の詳細な説明】
【技術分野】
【０００１】
本考案は、主として大型のナットやボルト（例えばユニバーサルジョイン用のボルトやナット）を締め付けたり緩めたりするのに用いられる締め付け装置に関する。
【背景技術】
【０００２】
従来、大型のナットやボルトを、油圧シリンダの操作により締め付ける装置として、前記シリンダのピストンの先端に取り付けた支持金に締付用スパナの端孔を、前記シリンダの帯金に保持用スパナの端孔を、それぞれ回動自在に枢支してなるものが知られている（例えば、特許文献１参照）。
【０００３】
このように、締付用スパナに加えて保持用スパナを設けているのは、一般に油圧を利用してピストンを往復運動させ、これを回転運動に変換することによってトルクを発生させる締め付け装置では、形式の如何を問わず必ず何らかの「反力受け」（ここでは保持用スパナ）が必要であるからである。
【先行技術文献】
【特許文献】
【０００４】
【特許文献１】実公昭４１−１５５２０号公報
【考案の概要】
【考案が解決しようとする課題】
【０００５】
特許文献１に記載のような締め付け装置では、例えばナットを回転して締め付ける場合に、油圧シリンダを動作させて、シリンダ本体からピストンを突出させるが、前記ピストンがストロークエンドまで達した後、さらに回転させるには、締付用スパナや保持スパナを一旦ナットから取り外し、油圧シリンダのシリンダ本体内にピストンを収納し、再度ナットに対し再セッティングする必要がある。そのため、締め付け作業を効率よくするために、再セッティング回数をできるだけ少なくなるように、油圧シリンダ１回のストロークでのナットあるいはボルトの回転角度を大きくしたいという要求がある。
【０００６】
また、シリンダ本体からピストンを突出させる前進動作だけでなく、シリンダ本体内にピストンを戻す後退動作においても、ナットを回転できるようにしたいという要求もある。
【０００７】
本考案は、油圧シリンダ１回のストロークでのナットあるいはボルトの回転角度（締め付け角度あるいは緩め角度）を大きくし、かつシリンダ本体内にピストンを戻す後退動作においても、ナットあるいはボルトを回転できる締め付け装置を提供することを目的とする。
【課題を解決するための手段】
【０００８】
請求項１の考案は、保持用レンチ部と締め付け用レンチ部とを備えるボルト締め付け装置であって、長アーム部と短アーム部とが直交するように結合されてなるＬ字形状の支持リンクと、前記両アーム部の結合部に一端部が回転可能に設けられ他端部に締め付け用レンチ部を有する第１可動リンクと、前記長アーム部の先端に中央部が回転可能に枢支され一端部に保持用レンチ部を有する第２可動リンクと、前記第２可動リンクの他端部と前記短アーム部の先端部との間に設けられる油圧シリンダとを備えることを特徴とする。
【０００９】
このようにすれば、例えばナットを締め付ける際に、油圧シリンダのシリンダ本体からピストンを突出させストロークエンドまで達したが、さらにそれ以上回転させる必要がある場合には、両レンチ部を一旦ナットあるいはボルトから取り外し、油圧シリンダのシリンダ本体内にピストンを収納し、再度ナットあるいはボルトにセッティングする必要がある。しかしながら、Ｌ字状の支持リンクに対し、端部に締め付け用レンチ部および保持用レンチ部をそれぞれ有する第１および第２可動リンクを所定の位置関係で設けているので、油圧シリンダ１回のストロークでのナットあるいはボルトの回転角度を大きくすることができる。そのため、その再セッティング回数を少なくすることができ、効率のよい作業を実現できる。
【００１０】
それに加えて、シリンダ本体からピストンを突出させる前進動作だけでなく、シリンダ本体内にピストンを戻す後退動作においても、ナットを回転する作業が可能になる。
【００１１】
この場合、請求項２に記載のように、前記第２可動リンクは、前記回転可能に設けられる中央部から前記保持用レンチ部までの長さを、前記回転可能に設けられる中央部から前記油圧シリンダに連結される他端部までの長さよりも長くしたり、請求項３に記載のように、前記第２可動リンクの、前記回転可能に設けられる中央部から前記保持用レンチ部までの長さを、前記第１可動リンクの、回転可能に設けられる一端部から前記締め付け用レンチ部までの長さよりも長くすることが望ましい。
【００１２】
また、請求項４に記載のように、前記支持リンクは、平行に配置された２つの板状部材からなり、前記２つの板状部材の間に、前記第１可動リンクの一端部および前記第２可動リンクの中央部が回転可能に挟持されている構造とすることができる。
【００１３】
この場合、請求項５に記載のように、前記２つの板状部材の間には、前記２つの板状部材の間隔を保持する複数のスペーサが設けられていることが望ましい。
【考案の効果】
【００１４】
本考案は、Ｌ字状の支持リンクに対し所定の位置関係で、締め付け用レンチ部を有する第１および保持用レンチ部を有する第２可動リンクとを設けているので、油圧シリンダ１回のストロークでのナットあるいはボルトの回転角度を大きくすることができ、再セッティング回数を少なくすることができる。それに加えて、シリンダ本体からピストンを突出させる前進動作だけでなく、シリンダ本体内にピストンを戻す後退動作においても、ナットを回転する作業が可能になる。
【図面の簡単な説明】
【００１５】
【図１】本考案に係る締め付け装置の一実施の形態を示し、（ａ）は正面図、（ｂ）は側面図、（ｃ）は保持用レンチ部が設けられている部分の側面図である。
【図２】（ａ）（ｂ）はそれぞれ、領域Ａ２のナットＮ２を利用して領域Ａ１のナットＮ１を締め付ける動作説明図である。
【図３】（ａ）（ｂ）はそれぞれ、領域Ａ２の別のナットＮ３を利用して領域Ａ１のナットＮ１を締め付ける動作説明図である。
【図４】（ａ）（ｂ）はそれぞれ図２、図３とは異なるナットを締める動作説明図である。
【考案を実施するための形態】
【００１６】
以下、本考案の実施の形態を図面に沿って説明する。
【００１７】
図１は本考案に係る締め付け装置の一実施の形態を示し、（ａ）は正面図、（ｂ）は側面図、（ｃ）は保持用レンチ部が設けられている部分の側面図である。
【００１８】
図１（ａ）（ｂ）（ｃ）に示すように、締め付け装置１は、油圧シリンダ４を動作させることで、ナット（あるいはボルト）を締め付け方向に回転させたり、弛み方向に回転させたりすることができるものである。この締め付け装置１は、長アーム部５ａと短アーム部５ｂとが直交するように一体に形成されてなるＬ字形状の支持リンク５を有する。
【００１９】
支持リンク５の両アーム部５ａ，５ｂの交差部位には、第１可動リンク７の一端部が回転可能に枢支され、他端部に締め付け用レンチ部３が設けられている。この締め付け用レンチ部３は、ナット（あるいはボルト）に係合するもので、第１可動リンク７の他端部に回転不能に固定され、第１可動リンク７が揺動することで、係合するナット（あるいはボルト）を締め付けるものである。なお、１２はボールプランジャーである。
【００２０】
また、支持リンク５の長アーム部５ａの先端部分に対し略弓形状の第２可動リンク６の中央部が回転可能に支持され、この第２可動リンク６は、一端部に保持用レンチ部２が設けられている。この保持レンチ部２も、ナット（あるいはボルト）に係合するもので、第２可動リンク６の一端部に回転可能に支持され、ナット（あるいはボルト）を締め付ける際に、反力受けとして機能するものである。
【００２１】
油圧シリンダ４は、シリンダ本体４ａと、ピストン４ｂとを有する。このシリンダ本体４ａの後端部が短アーム部５ｂ（支持リンク５）の先端部に、ピストン４ｂの先端が連結部材８を介して第２可動リンク６の他端部にそれぞれ回転可能に連結されることで、短アーム部５ｂの先端部と第２可動リンク６の他端部との間に、ナット（あるいはボルト）を締め付けるために第１可動リンク７を回転させる油圧シリンダ４が設けられる。
【００２２】
つまり、締め付け用レンチ部３は、油圧シリンダ４により回転させられ、その回転により締め付け用レンチ部３が係合するナット（あるいはボルト）を締め付け方向あるいは緩め方向に回転させることができる。
【００２３】
そして、第２可動リンク６は、前記回転可能に設けられる第２可動リンク６の中央部から保持用レンチ部２までの長さＬ１１が、同第２可動リンク６の中央部から油圧シリンダ４のピストン４ｂ先端に連結される他端部までの長さＬｌ２よりも長く、寸法Ｌ１１，Ｌ１２の関係で油圧シリンダ４の１回のストロークでのナット（あるいはボルト）の回転角度を大きくできるようになっている。また、第２可動リンク６の、前記回転可能に設けられる中央部から保持用レンチ部２までの長さＬ１１は、第１可動リンク７に回転可能に設けられる一端部から締め付け用レンチ部３までの長さＬ１３よりも長くなっている。この寸法Ｌ１１，Ｌ１３の関係も、油圧シリンダ４の１回のストロークでのナット（あるいはボルト）の回転角度を大きくする上で有利となっている。
【００２４】
また、支持リンク５は、平行に配置された２つの、Ｌ字状の板状部材５Ａ，５Ｂからなり、これら２つの板状部材５Ａ，５Ｂの間に、第１可動リンク７の一端部および第２可動リンク６の中央部が挟持された状態で、第１可動リンク７および第２可動リンク６が回転可能に支持されている。なお、２つの板状部材５Ａ，５Ｂの間には、２つの板状部材５Ａ，５Ｂの間隔をほぼ一定に保持する複数のスペーサ１１が設けられている。これにより、２つの板状部材５Ａ，５Ｂは平行に組み付けられ、可動リンク６，７の回転を損なうことがないようになっている。
【００２５】
上記装置によれば、例えば図２（ａ）（ｂ）に示すように、締め付け用レンチ部３および保持用レンチ部２を、それぞれ対応するナットＮ１，Ｎ２（ユニバーサルジョイントＮの領域Ａ１，Ａ２にそれぞれ配置される）に係合し、油圧シリンダ４を動作させてシリンダ本体４ａからピストン４ｂを突出させる前進動作で、第１可動リンク７を大きく回転させ、締め付け用レンチ部３によってナットＮ１を大きく回転させることができる。その回転の際の反力は、保持用レンチ部２が第２可動リンク７に対し回転することによって受けられることになる。
【００２６】
そして、油圧シリンダ４においてピストン４ｂが突出してストロークエンドにまで達し、さらにそれ以上ナットＮ１を回転させる必要がある場合には、締め付け用レンチ部３および保持用レンチ部２をナットＮ１，Ｎ２から一旦取り外し、ピストン４ｂがシリンダ本体４ａ内に収納された状態とする。そして、この収納状態で、締め付け用レンチ部３および保持用レンチ部２を再度ナットＮ１，Ｎ２に係合して、ピストン４ｂを突出させることでナットＮ１を回転して締め付ける。
【００２７】
このような締め付け動作を繰り返すことで、ナットＮ１を効率よく締め付けて、対象物に固定することができる。特に、Ｌ字状の支持リンク５に対し所定の位置関係（寸法関係）で第１および第２可動リンク６，７を支持させているので、油圧シリンダ４の１回のストロークでのナットＮ１の回転角度を大きくすることができる。そのため、ナットＮ１をしっかりと締め付けるために必要とされるセッティング回数（ナットＮ１，Ｎ２に各レンチ部２，３を係合する回数）を少なくすることができ、作業効率に優れる。
【００２８】
また、逆に、シリンダ本体４ａからピストン４ｂを突出させた状態で締め付け用レンチ部３および保持用レンチ部２を、それぞれ対応するナットＮ１，Ｎ２に係合し、油圧シリンダ４を動作させてシリンダ本体４ａ内にピストン４ｂを収納させる後退動作で、ナットＮ１を緩む方向に回転させることができる。これを繰り返すことで、ナットＮ１を緩めることもできる。
【００２９】
この場合、図３（ａ）（ｂ）に示すように、保持用レンチ部２を、ユニバーサルジョイントＮの領域Ａ２に配置される別のナットＮ３に係合させることでも、同様にナットＮ１の締め付けを行うことができる。
【００３０】
そして、領域Ａ１の、残りのナットＮ４，Ｎ５についても、同様にして締め付け作業を行うことができる。なお、図４（ａ）（ｂ）に、領域Ａ１のナットＮ４を、領域Ａ２のナットＮ６を利用して締め付ける例を示す。
【００３１】
このように、油圧シリンダ４の前進動作だけでなく、後退動作においても、ナットあるいはボルトを回転する作業が可能になる。
【００３２】
なお、本明細書で使用している用語と表現は、あくまでも説明上のものであって、なんら本考案を限定するものではなく、本考案の技術思想の範囲内で、種々の変形態様が可能であることはいうことはいうまでもない。
【符号の説明】
【００３３】
１    締め付け装置
２    保持用レンチ部
３    締め付け用レンチ部
４    油圧シリンダ
５    支持リンク
５ａ    長アーム部
５ｂ    短アーム部
５Ａ，５Ｂ    板状部材
６    第２可動リンク
７    第１可動リンク
８    連結部材
１１    スペーサ
１２    ボールプランジャー
【図１】
0003183521.tif 000003
【図２】
0003183521.tif 000004
【図３】
0003183521.tif 000005
【図４】
0003183521.tif 000006